(57)【要約】【課題】市販されている既存の帽子に装着することができ、しかも、帽子のシルエットを変形させることなく、帽子外から帽子内への通気性を確実に向上させることができ、蒸れの防止を図ることができる帽子装着補助具の提供を目的とする。【解決手段】頭囲の大きさに合わせてサイズ調節可能なサイズ調節手段を有し、頭部に巻回保持させて装着する頭装着部と、帽子内周縁に係止させる係止手段と前記帽子内周縁の大きさに合わせてサイズ調節可能なサイズ調節手段とを有し、帽子内周縁に係止保持させる環状に形成された防止装着部と、前記頭装着部と帽子装着部とを所定の間隔を保持させた状態で連結する連結部とを備えている構成とした。【選択図】      図１
2005002486.tif 000002
【特許請求の範囲】
【請求項１】
頭囲の大きさに合わせてサイズ調節可能なサイズ調節手段を備え、頭部に巻回保持させて装着する頭装着部と、
帽子内周縁に係止させる係止手段と、前記帽子内周縁の大きさに合わせてサイズ調節可能なサイズ調節手段とを備え、帽子内周縁に係止保持させる環状に形成された防止装着部と、
前記頭装着部と帽子装着部とを所定の間隔を保持させた状態で連結する連結部とを備えている帽子装着補助具。
【発明の詳細な説明】
【０００１】
【発明の属する技術分野】
本発明は、酷暑時などに帽子を被っても帽子内が蒸れることなく、快適な状態で帽子を確実に着用させることを可能とする帽子装着補助具に関する。
【０００２】
【従来の技術】
頭部に直射日光があたることを避けるために被る帽子は、様々なタイプのものが知られているが、炎天下時などの酷暑時では、帽子を被ることにより直射日光を避けることはできても、帽子内が蒸れて頭部に不快感をもたらすことがある。
【０００３】
そこで、従来、帽子の一部の生地をメッシュ地にして通気性をもたせるようにするなどの工夫をこらしている帽子が知られている。
また、帽子の内周縁における左右のこめかみが触れる部分のそれぞれから、前記内周縁における前方中央部分にかけて、帽子の内周縁との間で弓形となるように帽子の内周縁にメッシュ帯を縫い付けて、通気性を向上させた帽子が提案されている。（たとえば、特開平９−１３７３１５号公報参照）
【０００４】
また、帽子のクラウン部の下方内周縁に沿ってスベリ部が設けられている帽子において、前記スベリ部を介した通気構造により、帽子の内外方向に通気可能とすることで、頭部の蒸れを防止する帽子が提案されている。（たとえば、特開２００１−２０７３２２号公報参照）
【０００５】
【特許文献１】特開平９−１３７３１５号公報
【特許文献２】特開２００１−２０７３２２号公報
【０００６】
【発明が解決しようとする課題】
しかし、特開平９−１３７３１５号公報で提案されている帽子は、帽子内部に張設されたメッシュ帯が、着用時に頭部に沿って馴染むように伸びるときに、帽子の内縁を内側に引っ張る力が作用するため、柔らかい素材を用いた帽子ではシルエットが変形してしまい見栄えが悪くなってしまうという問題がある。したがって、暑さ対策に着用する代表的な帽子である麦わら帽などに使用することができない。
【０００７】
また、特開２００１−２０７３２２号公報で提案されている帽子は、スベリ部の頭部接触面を起毛状素材で形成させるなどして、スベリ部に通気構造を持たせているが、この場合、予め帽子内のスベリ部を加工しておく必要が生じ、たとえば、麦わら帽などのように元々スベリ部を有していない種類の帽子にまで、スベリ部を形成させておく必要が生じてしまう。
【０００８】
さらに、上記帽子のようにスベリ部に通気構造を持たせた程度では、十分に帽子内の通気性を向上させることができるとはいえず、完全に帽子内の蒸れを解消できるとはいえなかった。
加えて、特開平９−１３７３１５号公報で提案されている帽子および特開２００１−２０７３２２号公報で提案されている帽子は、いずれも市販されている既存の帽子に通気性を持たせて蒸れを防止するタイプのものではない。
【０００９】
そこで、本発明は、上記問題点に鑑みてなされ、市販されている既存の帽子に装着することができ、しかも、帽子のシルエットを変形させることなく、帽子外から帽子内への通気性を確実に向上させることができ、蒸れの防止を図ることができる帽子装着補助具の提供を目的としている。
【００１０】
【課題を解決するための手段】
このような目的を達成するために、本発明の請求項１にかかる帽子装着補助具（以下、「請求項１の補助具」とのみ記す。）は、頭囲の大きさに合わせてサイズ調節可能なサイズ調節手段を備え、頭部に巻回保持させて装着する頭装着部と、帽子内周縁に係止させる係止手段と、前記帽子内周縁の大きさに合わせてサイズ調節可能なサイズ調節手段とを備え、帽子内周縁に係止保持させる環状に形成された防止装着部と、前記頭装着部と帽子装着部とを所定の間隔を保持させた状態で連結する連結部とを備えている構成とした。
【００１１】
上記構成において、頭装着部は、頭囲の大きさにあわせてサイズ調節可能となっていて、頭部に巻回して装着できるのであれば、特に限定されないが、たとえば、ポリエチレン樹脂などの可撓性を有する樹脂材料を使用すると、成形が容易であるとともに重量を軽く抑えることができるため好ましい。
【００１２】
また、帽子装着部は、材質など特に限定されないが、上述した頭装着部と同様の理由より樹脂材料を使用することが好ましい。
また、係止部は、帽子内周縁に係止されるようになっていれば、特に限定されないが、たとえば、帽子内周縁部分と噛みあうような突起を帽子装着部の外周面上に形成させたり、面ファスナーを帽子装着部の外周面に形成させたりする手段などが挙げられる。
【００１３】
また、連結部は、頭装着部と帽子装着部とを所定の間隔を有した状態で連結することができるのであれば、特に限定されないが、頭部に頭装着部を装着するとともに、帽子装着部に帽子を装着したとき、頭部と帽子との間が不自然に離れすぎず、かつ帽子内に外部からの空気が流入可能な間隔を保つように連結することが好ましい。
【００１４】
【発明の実施の形態】
以下に、本発明の実施の形態を、図面を参照しつつ詳しく説明する。
図１は、本発明にかかる帽子装着補助具の一実施の形態を示した斜視図である。
図１に示したように帽子装着補助具１は、頭装着部２と、帽子装着部３と、連結部４とを備えている。
【００１５】
頭装着部２は、可撓性を有する合成樹脂製の薄板体からなる本体２ａを、図１に示したように環状となるように保持したものであり、図２に示したように、サイズ調節手段２０が設けられている。
サイズ調節手段２０は、環保持用ピン（以下、「ガイドピン」とのみ記す。）２１と、長孔２２と、係止ピン２３と、係止孔２４とを備えている。
【００１６】
ガイドピン２１は、頭部２１ａが長孔２２の幅よりも大きな径を有し、この頭部２１ａと本体２ａとの間に長孔２２を介在させるようにして、本体２ａに差し込むことにより、本体２ａを環状状態に留めるようになっている。
長孔２２は、図１に示したように、本体２ａの一方の端部側近傍位置から略中央側位置まで、本体２ａの長手方向に沿うように設けられている。
【００１７】
係止ピン２３は、図１及び図２に示したように、本体２ａの長孔２２が設けられている位置よりも端部側に設けられており、後述する係止孔２４に係止されるようになっている。また、図示していないが、係止ピン２３の頭部の大きさは、後述する係止孔２４の円形孔２４ｂの径よりも小さく、溝２４ａの幅よりも大きく形成されている。
【００１８】
係止孔２４は、図１および図２に示したように、本体２ａの他方の端部側から中央方向にかけて複数設けられ、円形孔２４ｂと、円形孔２４ｂの径よりも小さな幅を有した溝２４ａとを備えた略鍵穴形状をしており、頭装着部２が丁度頭に納まる径となる係止孔２４の位置を選んで、係止ピン２３を係止させることにより、環形の状態が保持されるようになっている。
【００１９】
帽子装着部３は、可撓性を有する合成樹脂製の薄板体からなる本体３ａを、図１に示したように環状となるように保持したものであり、図２に示したように、サイズ調節手段３０が設けられている。
サイズ調節手段３０は、環保持用ピン（以下、「ガイドピン」とのみ記す。）３１と、長孔３２と、係止ピン３３と、係止孔３４とを備えている。
【００２０】
ガイドピン３１は、頭部３１ａが長孔３２の幅よりも大きな径を有し、この頭部３１ａと本体３ａとの間に長孔３２を介在させるようにして、本体３ａに差し込むことにより、本体３ａを環状状態に係止保持するようになっている。
長孔３２は、図１に示したように、本体３ａの一方の端部側近傍位置から略中央側位置まで、本体３ａの長手方向に沿うように設けられている。
【００２１】
係止ピン３３は、図１及び図２に示したように、本体３ａの長孔３２が設けられている位置よりも端部側に設けられており、後述する係止孔３４に係止されるようになっている。また、図示していないが、係止ピン３３の頭部の大きさは、後述する係止孔３４の円形孔３４ｂの径よりも小さく、溝３４ａの幅よりも大きく形成されている。
【００２２】
係止孔３４は、図１および図２に示したように、本体３ａの他方の端部側から中央方向にかけて複数設けられ、円形孔３４ｂと、円形孔３４ｂの径よりも小さな幅を有した溝３４ａとを備えた略鍵穴形状をしており、帽子装着部３が丁度帽子の内径に納まる径となるように係止孔３４の位置を選んで、係止ピン３３を係止させることにより、環形の状態が保持されるようになっている。
【００２３】
係止突起３５は、図１に示したように、帽子装着部３の外周上に沿って、一円に設けられており、先端が帽子の内周部分を係止可能となるように、鋭利状に形成されている。
【００２４】
連結部４は、図１に示したように合成樹脂製の薄板体にて形成されており、環状に形成されている頭装着部２と、帽子装着部３とを等間隔の３箇所で連結し、これら二つの部材が所定の間隔を保つ状態となるように保持している。
【００２５】
以上の構成をしている帽子装着補助具は、以下のようにして使用する。
１）まず、図１に示したように帽子装着補助具１を用意して、サイズ調節手段２０により、頭装着部２を使用する者の頭の大きさに合わせるとともに、サイズ調節手段３０により、帽子装着部３を着用する帽子の内周に沿う大きさに合わせる。
【００２６】
２）図４に示したように、帽子装着部３を帽子Ｈ内に挿入して、係止突起３５を帽子Ｈの内周部分に係止させることで、帽子装着部３を帽子Ｈに装着する。
３）また、頭装着部２は、図３に示したように、頭部Ｔを内周部分に挿入するようにして、頭部Ｔを装着する。
以上の操作をすることにより、図３および図４に示したように、帽子装着補助具１を介在させることで、頭部Ｔから帽子Ｈが少し隙間を有するように浮いた状態で頭部Ｔに装着される。
【００２７】
本発明にかかる帽子装着補助具１は、上述したように、頭装着部２および帽子装着部３のそれぞれの径の大きさを独立して自由に調整することが可能となっている。したがって、通常であれば、頭部の大きさに対して大きすぎたり、小さすぎたりする帽子であっても、頭装着部２を頭部Ｔの大きさに合わせるとともに、帽子装着部３を帽子Ｈの大きさに合わせることで、確実に着用することが可能となる。
【００２８】
また、帽子装着補助具１を使用して帽子Ｈを着用したとき、図４に示したように、頭部Ｔと帽子Ｈとの間に隙間が形成されるため、図中の矢印に示したように空気の流れを生じさせることが可能となり、暑い日などに帽子Ｈを着用しても、頭部Ｔと防止Ｈとの間に熱が篭って蒸れるなどの弊害がなく、快適さが大きく向上するのである。
【００２９】
さらに、係止孔２４および３４の形状が略鍵穴形状をしているため、係止ピン２３および３３の差込は係止ピンの頭部よりも径の大きな円形孔２４ｂ、３４ｂであるため挿入させやすいとともに、溝２４ａ、３４ａは、幅が係止ピンの頭部よりも狭いため抜けることがなく、確実に環形状が崩れないように保持することが可能となる。
【００３０】
なお、本発明にかかる帽子装着補助具は、上記実施の形態に限定されるものではない。
たとえば、帽子装着補助具１は、サイズ調節手段２０、３０として、係止ピン２３、３３と、略鍵穴形状をしている係止孔２４、３４とを備えていたが、これに代えて、たとえば、ベルト孔にベルト止め用の金具を差し込んで固定保持するいわゆるズボンのベルトと同様の構成をしていても構わないし、面ファスナーなどを利用してサイズ調整を行うようにしても構わない。
【００３１】
また、帽子装着補助具１は、係止突起３５を使用することにより帽子Ｈに装着するようにしていたが、係止突起３５に代えて、面ファスナーや粘着材などを利用して帽子Ｈ内に取り付けられるようにしても構わない。
また、帽子装着補助具を形成する材質は、合成樹脂に限らず、可撓性を有して径の大きさを調整可能な環状に形成することができるのであれば、金属や竹などの木製であっても構わない。
【００３２】
【発明の効果】
本発明にかかる請求項１の帽子装着補助具は、頭部への装着部分である頭装着部と、帽子に装着させる帽子装着部との両方の部材がそれぞれ独立してサイズ調節を行うことが可能であるため、頭の大きさや帽子の大きさに関係なく、帽子を着用することを可能にするとともに、頭部と帽子内部との間に隙間を形成させるため、帽子内が蒸れることがなく快適さを保つことができる。
【図面の簡単な説明】
【図１】本発明にかかる帽子装着補助具の１実施形態を示した斜視図である。
【図２】図１における頭装着部および帽子装着部のサイズ調節手段を説明するための正面図である。
【図３】図１に示した帽子装着補助具の使用状態の説明図である。
【図４】図３に示した状態における帽子の内部の空気の流れを説明するための断面図である。
【符号の説明】
１        帽子装着補助具
２        頭装着部
２０      サイズ調節手段
３        帽子装着部
３０      サイズ調節手段
４        連結部
Ｈ        帽子
Ｔ        頭部
【図１】
2005002486.tif 000003
【図２】
2005002486.tif 000004
【図３】
2005002486.tif 000005
【図４】
2005002486.tif 000006